(57)【特許請求の範囲】
【請求項１】
門型状に形成された洗車機本体と自動車とを相対移動させて自動車の車体を洗車するタイプの洗車機であって、
直接的に自動車車体に関与して洗車を行う洗車処理装置と、直接的に自動車車体に関与せず洗車処理を補助する洗車補助手段と、洗車機本体と自動車との相対移動速度を可変する速度可変手段と、該速度可変手段を制御して洗車速度が異なる複数の洗車コースを実行する洗車制御手段と、該洗車制御手段で実行する洗車コースを設定する設定手段とを備え、
該設定手段で超高速洗車を選択可能にし、前記洗車制御手段では、設定手段で超高速洗車が選択されると、前記速度可変手段で洗車機本体と自動車との相対移動速度を高速にするとともに、前記洗車補助手段による洗車処理の補助を制限することを特徴とする洗車機。
【請求項２】
門型に形成された洗車機本体と自動車とを相対移動させて自動車の車体を洗車した後、自動車を前進させて退出させるタイプの洗車機であって、
直接的に自動車車体に関与して洗車を行う洗車処理装置と、直接的に自動車車体に関与せず洗車処理を補助する洗車補助手段と、洗車機本体と自動車との相対移動速度を可変する速度可変手段と、該速度可変手段を制御して洗車速度が異なる複数の洗車コースを実行する洗車制御手段と、該洗車制御手段で実行する洗車コースを設定する設定手段とを備え、
該設定手段で超高速洗車を選択可能にし、前記洗車制御手段では、設定手段で超高速洗車が選択されると、前記速度可変手段で洗車機本体と自動車との相対移動速度を高速にするとともに、前記洗車補助手段による洗車処理の補助を制限することを特徴とする洗車機。
【請求項３】
前記洗車補助手段は、洗車開始の予告カウント報知を含み、前記洗車制御手段では、設定手段で超高速洗車が選択されると、前記速度可変手段で洗車機本体と自動車との相対移動速度を高速にするとともに、洗車開始の予告カウント報知をしないことを特徴とする上記請求項１または２記載の洗車機。
【請求項４】
前記前記洗車補助手段は、前記洗車処理装置として装備される洗浄ブラシの洗浄動作を行う手段を含み、前記洗車制御手段では、設定手段で超高速洗車が選択されると、前記速度可変手段で洗車機本体と自動車との相対移動速度を高速にするとともに、前記洗浄ブラシの洗浄動作手段を行わないことを特徴とする上記請求項１または２記載の洗車機。
【請求項５】
門型に形成された洗車機本体と自動車とを相対移動させて自動車の車体を洗車した後、自動車を前進させて退出させるタイプの洗車機であって、
直接的に自動車車体に関与して洗車を行う洗車処理装置と、直接的に自動車車体に関与せず洗車処理を補助する洗車補助手段と、洗車機本体と自動車との相対移動速度を可変する速度可変手段と、該速度可変手段を制御して洗車速度が異なる複数の洗車コースを実行する洗車制御手段と、該洗車制御手段で実行する洗車コースを設定する設定手段とを備え、
前記洗車補助手段は、洗車終了後の自動車が洗車スペースから退出したことを検出する手段を含み、前記洗車制御手段では、設定手段で超高速洗車が選択されると、前記速度可変手段で洗車機本体と自動車との相対移動速度を高速にするとともに、前記退出検出手段で自動車の退出を判断するまでの時間を短くすることを特徴とする洗車機。
【請求項６】
門型に形成された洗車機本体と自動車とを相対移動させて自動車の車体を洗車した後、自動車を前進させて退出させるタイプの洗車機であって、
直接的に自動車車体に関与して洗車を行う洗車処理装置と、直接的に自動車車体に関与せず洗車処理を補助する洗車補助手段と、洗車機本体と自動車との相対移動速度を可変する速度可変手段と、該速度可変手段を制御して洗車速度が異なる複数の洗車コースを実行する洗車制御手段と、該洗車制御手段で実行する洗車コースを設定する設定手段とを備え、
前記洗車補助手段は、洗車終了後の洗車機本体を洗車待機位置に後進させる手段を含み、前記洗車制御手段では、設定手段で超高速洗車が選択されると、前記速度可変手段で洗車機本体と自動車との相対移動速度を高速にするとともに、前記本体後進手段の後進速度を高速にすることを特徴とする洗車機。
【発明の詳細な説明】
【技術分野】
【０００１】
本発明は、門型に形成された洗車機本体内に、自動車に対して洗車作業を施す洗車処理装置を備え、洗車機本体と自動車とを相対移動させて洗車を行う洗車機、或いは洗車受付を行ってから洗車スペースに入場して洗車機本体による洗車処理を受け、洗車後は自動車を前進させて退場するドライブスルー式の洗車機に関するものである。
【背景技術】
【０００２】
この種の洗車機において、洗車機本体の走行速度を可変して、高速洗車や低速洗車を行えるようにしたものが知られている。このうち、特許文献１に開示された洗車機では、洗車機本体の移動速度に応じて、上面ブラシの昇降速度や側面ブラシの開閉速度を制御して、高速洗車を実現している。
【０００３】
ところで、この種の洗車機には、自動車車体に作用する洗車処理装置以外の洗車補助装置が備えられ、操作性や安全性の向上が図られている。洗車補助装置としては、例えば洗車開始を案内する音声出力、ブラシに付着したワックスを洗い流すブラシ洗浄動作、自動車の退出を検出するセンサ等であり、これら洗車補助装置の動作が洗車時間を長くする要因の一つにもなっていた。
【特許文献１】特開平１１−２６３２００号
【発明の開示】
【発明が解決しようとする課題】
【０００４】
本発明が解決しようとする課題は、洗車の品質を保ちながら、従来の高速洗車よりも洗車時間を短縮した超高速洗車を実現する洗車機を提供することにある。
【課題を解決するための手段】
【０００５】
この課題を解決するために本発明は、門型状に形成された洗車機本体と自動車とを相対移動させて自動車の車体を洗車するタイプの洗車機、もしくは門型に形成された洗車機本体と自動車とを相対移動させて自動車の車体を洗車した後、自動車を前進させて退出させるタイプの洗車機であって、直接的に自動車車体に関与して洗車を行う洗車処理装置と、直接的に自動車車体に関与せず洗車処理を補助する洗車補助装置と、洗車機本体と自動車との相対移動速度を可変する速度可変手段と、速度可変手段を制御して洗車速度が異なる複数の洗車コースを実行する洗車制御手段と、洗車制御手段で実行する洗車コースを設定する設定手段とを備え、該設定手段で超高速洗車を選択可能にし、前記洗車制御手段では、設定手段で超高速洗車が選択されると、前記速度可変手段で洗車機本体と自動車との相対移動速度を高速にするとともに、前記洗車補助手段による洗車処理の補助を制限するようにしたものである。
【０００６】
超高速洗車では、洗車補助装置として、洗車開始の予告カウント報知を含むとき、この洗車開始の予告カウント報知を行わず、洗浄ブラシの洗浄を行う手段を含むとき、洗浄ブラシの洗浄を実行せず、洗車終了後の自動車が洗車スペースから退出したことを検出する手段を含むとき、退出検出手段で自動車の退出を判断するまでの時間を短くし、洗車終了後の洗車機本体を洗車待機位置に後進させる手段を含むとき、本体後進手段の後進速度を高速にする。
【発明の効果】
【０００７】
本発明の洗車機によれば、洗車機本体と自動車との相対移動速度を高速にする高速洗車に加え、洗車補助装置による洗車補助動作を通常時よりも制限することで、よりスピーディーな超高速洗車が実現され、繁忙時等に洗車の回転率を向上することができる。
【発明を実施するための最良の形態】
【０００８】
以下の実施例１及び２に示す洗車機が最良の形態である。
【実施例１】
【０００９】
以下、本発明の実施例について説明する。図１は実施例１の洗車機を示す正面図、図２は同洗車機の側面図である。
１は門型に形成した洗車機本体で、床面に敷設した２本の平行なレール２・２上を往復走行し、レール２・２間に停車した自動車Ａに対して内部に装備した洗車処理装置により洗車処理を施すものである。４・４は正逆可能な走行モータで、車輪３・３を駆動して洗車機本体１をレール２・２上で往復走行させる。５は走行エンコーダで、モータ４の出力軸に連結され、モータ４の回転方向を検出しながら単位角度回転毎にパルス信号を出力して洗車機本体１の走行位置を与えている。６は車形検出装置で、洗車機本体１の前方に備えられ、自動車Ａを幅方向に挾んで発光部６ａと受光部６ｂを配置し、発光部６ａの上下方向に複数配列した発光素子の光が、受光部６ｂの上下方向に発光部６ａと対向するように複数配列した受光素子で受光できるか否かによって車体を検出するものである。
【００１０】
洗車機本体１には、洗車処理装置としてブラシ装置７，８・８、ブロワノズル９，１０・１０をはじめ散水ノズル，液剤タンク（図示しない）等が備えられ、走行に伴って水，洗剤，ワックス等を散布してブラッシングする洗浄作業やブロワノズルより空気を吹き付ける乾燥作業を行う。ブラシ装置は、車体上面に沿って昇降し同上面をブラッシングする上面ブラシ７と、車体に対して接離（開閉）動作し車体の前後面および側面をブラッシングする左右一対の側面ブラシ８・８とからなる。ブロワノズルは、車体上面に沿って昇降し同上面に空気を吹き付けて乾燥をはかる上面ブロワノズル９と、車体側面に空気を吹き付けて乾燥をはかる左右一対の側面ブロワノズル１０・１０とからなる。
【００１１】
図３は上面ブラシ７の構造を示す説明図である。
上面ブラシ７は、ブラシ軸１１の両端に直結されたキャリア１２Ｌ・１２Ｒによって洗車機本体１内に垂設した昇降レール１３Ｌ・１３Ｒ上を昇降するように構成され、一方のキャリア１２Ｒに固定されたブラシモータ１４により正逆転駆動される。キャリア１２Ｌ・１２Ｒは、上端と下端を無端状に接続するチェーン１５と、該チェーン１５が懸回されるスプロケット１６Ｕ・１６Ｄと、左右の上スプロケット１６Ｕ同士を連結する回転軸１７と、該回転軸１７を正逆転する昇降モータ１８からなる昇降装置により昇降される。１９は昇降エンコーダで、回転軸１７に接続され、回転軸の回転方向を検出しながら、所定回転する毎にパルス信号を出力してキャリアの昇降位置を与えている。２０，２１はリミットスイッチで、キャリア１２Ｌの接触によりスイッチングして上昇限界及び下降限界を与える。
【００１２】
図４は側面ブラシ８・８の構造を示す説明図である。
側面ブラシ８・８は、ブラシ軸２２の上端に直結したキャリア２２Ｌ・２２Ｒによって洗車機本体１内の後方上部に水平に横架された開閉レール２３に沿って開閉するように構成され、ブラシモータ２４・２４により正逆転駆動される。キャリア２２Ｌ・２２Ｒは、右端と左端を無端状に接続するチェーン２５と、該チェーン２５が懸回されるスプロケット２６Ｌ・２６Ｒと、一方のスプロケット２６Ｌ・２６Ｒを正逆転する開閉モータ２７からなる開閉装置により開閉される。２８は開閉エンコーダで、開閉モータ２７の出力軸に接続され、モータ２７の回転方向を検出しながら、所定回転する毎にパルス信号を出力してキャリアの開閉位置を与えている。
【００１３】
図５は上面ブロワノズル９の構造を示す説明図である。
上面ブロワノズル９も上面ブラシ３と略同様な構成で昇降されるもので、洗車機本体１内に垂設した昇降レール２９Ｌ・２９Ｒ上を昇降するキャリア３０Ｌ・３０Ｒにその両端を支持され、昇降装置のチェーン３１、スプロケット３２Ｕ，３２Ｄ、左右の上スプロケット３２Ｕ同士を連結する回転軸３３、回転軸３３を正逆転する昇降モータ３４により昇降される。３５は昇降エンコーダで、回転軸３３に接続され、回転軸の回転方向を検出しながら、所定回転する毎にパルス信号を出力してキャリアの昇降位置を与えている。３６，３７はリミットスイッチで、キャリア３０Ｌの接触によりスイッチングして上昇限界及び下降限界を与える。
【００１４】
図６は実施例１の制御系を示すブロック図である。
４０は制御部で、操作パネル４１からの洗車指令に基づいて所望の洗車処理を開始し、洗車中は車形検出装置６からのデータに基づいて検出した自動車の位置，形状，装備等に応じて、洗車駆動部４２を介してブラシ，ブロワノズル等の洗車処理装置を作動させ、自動車の位置，形状，装備等に合わせて洗車を行う。
【００１５】
制御部４０には、車形検出部４３が備えられ、車形検出装置６を洗車機本体１の走行に伴う走行エンコーダ５からのパルス信号をトリガーとして作動し、洗車機本体１が単位距離移動する毎に発光部６ａ・受光部６ｂ間で授受される光信号が自動車の車体によって遮られる位置を検出していき、自動車の上面輪郭や突起物を認識する。尚、車形・突起物の検出方法としては、特開平１０−１００８７０号や特開平１０−３３８１０３号等で開示されている方法で可能である。
【００１６】
洗車駆動部４２には、洗車機本体１の走行モータ４・４、上面ブラシ７のブラシモータ１４、昇降モータ１８、側面ブラシ８のブラシモータ２４、開閉モータ２７、上面ブロワノズル９の昇降モータ３４が、回転数を制御するためのインバータ４５〜５０を介して接続されている。これにより、各モータの回転速度が可変となり、洗車機本体１の走行速度、上面ブラシ７の回転及び昇降速度、側面ブラシ８の回転及び開閉速度、上面ブロワノズル９の昇降速度を適宜調整することが可能になる。
【００１７】
操作パネル４１は、洗車機本体１前面に備えられ、洗車内容の選択や洗車の開始入力を行う他、表示や音声により洗車開始／終了・注意事項・操作手順等を案内出力するものである。操作パネル４１には、操作ガイド等を表示するＬＣＤ表示器５１、洗車コースを選択するコースキー５２、低速洗車を設定する低速洗車キー５３、高速洗車を設定する高速洗車キー５４、超高速洗車を設定する超高速洗車キー５５、洗車を中止するストップキー５６、プリペイドカードや現金を受け付ける料金受付装置５７、洗車受付・洗車開始等の各案内音声を出力するスピーカ５８、電源の入切や管理モード，運転モードを切り換えるキースイッチ５９を備えている。尚、キースイッチ５９で切り替えられる管理モードでは、作業者が洗車機にシステムデータや洗車時間の設定などの各種データを入力したり、洗車機各部の動作を確認したり、洗車台数の集計の表示を行ったりするもので、通常は、洗車の受付操作や洗車が可能な運転モードで運用される。
【００１８】
続いて、以上のように構成する実施例１の動作について説明する。
図７は実施例１の洗車動作例を示すタイムチャート図である。
自動車を所定の位置に停止させ、操作パネル４１で、希望する洗車コースを選択した後、低速洗車を行う場合は低速洗車キー５３を、高速洗車を行う場合は高速洗車キ５４ーを、超高速洗車を行う場合は超高速洗車キー５５を入力すると洗車が開始となる。
【００１９】
洗車コースとしては、洗車機本体１の１往復走行に伴うシャンプーコースと、２往復走行に伴うワックスコースが設定されている。これにより、洗車速度を組み合わせて実質的に６種類の洗車コースが選択できることになる。シャンプーコースは、洗車機本体１の往行時にシャンプー、復行に乾燥を実行する。シャンプーと乾燥の間には、ブラシを空転させながら清浄水を散布するブラシ洗浄動作を行う。ワックスコースは、洗車機本体１の１往行にシャンプー、１復行にリンス、２往行にワックス、２復行に乾燥を実行する。ワックスと乾燥の間には、ブラシを空転させながら清浄水を散布するブラシ洗浄動作を行う。尚、洗車コースは、これら２コースに限定されるものではない。
【００２０】
基本的な洗車動作について説明すると、洗車開始指令に伴い、スピーカ５８から『洗車を開始します。洗車機から離れて下さい。』といったアナウンスを出力し、安全のためピー音を１秒／回にて４回程度出力し、洗車機本体１が走行開始することを予告するカウント出力を行い、洗車機本体１を往行させる。洗車開始後は、洗車機本体１が所定距離走行する度に、本体の最前方に装備される車形検出装置６から透光／遮光データを取り込み、本体１の走行位置と合わせて車形データを作成していく。このような車形検出は、洗車機本体の往行時にシャンプー工程と同時進行で行われる。
【００２１】
シャンプー工程は、上面ブラシ７を車形データに合わせて昇降制御するとともに、側面ブラシ８・８を車形データに合わせて開閉制御しながら実行される。すなわち、上面ブラシ７は、車体の上面傾斜が緩やかな部位（例えばボンネット・ルーフ・トランク）についてはゆっくりと昇降し、傾斜が急な部位（例えばフロントガラス・リアガラス・突起物）については速く昇降するよう制御する。また、側面ブラシ８・８は、車体前面を洗浄するとき、左右の側面ブラシを閉じた状態にして車体前端に接触させ、本体１の走行を一旦停止して左右に開放させる。車体側面を洗浄するときは、左右のブラシをそれぞれ上方が自動車側に傾倒したハの字姿勢で保持させる。自動車後面を洗浄するときは、開いた左右の側面ブラシを車体後端を検出したら閉塞させる。
【００２２】
乾燥工程は、上面ブロワノズル９を車形データに合わせて昇降制御しながら実行される。上面ブロワノズル９は、上面ブラシ７と同様に車体の上面傾斜が緩やかな部位についてはゆっくりと昇降させ、傾斜が急な部位については速く昇降させる。尚、上面ブラシ７及び上面ブロワノズル９の昇降速度、側面ブラシの開閉速度は、本体１の走行速度により増減させる。このとき本体の走行速度も洗浄している部位に応じて加減すれば更に安全な洗車が可能となる。
【００２３】
次に、洗車速度毎の洗車動作について説明する。尚、各洗車速度における洗車機本体１の走行速度・上面ブラシ・上面ブロワノズルの昇降速度・側面ブラシの開閉速度は、特開平１１−２６３２００号に開示された方法で任意に設定可能である。
（低速洗車）
低速洗車では、洗車機本体１の走行モータ４を低速Ｖ１（例えば４０Ｈｚ）で駆動して実行される。上面ブラシ及び上面ブロワノズルは、自動車の傾斜がａ以下なら上面ブラシの昇降速度は１０Ｈｚ、ａ＜θ＜ｂなら２０Ｈｚ、ｂ＜θ＜ｃなら３０Ｈｚ、水平なら保持、というように昇降制御される（例えばａ＝２０°ｂ＝３０°ｃ＝４０°）。側面ブラシは、自動車前面及び後面を洗浄するとき、開閉速度は２０Ｈｚで開閉制御される。
【００２４】
（高速洗車）
高速洗車では、洗車機本体１の走行モータ４を高速Ｖ２（例えば６０Ｈｚ）で駆動して実行される。上面ブラシ及び上面ブロワノズルは、自動車の傾斜θがａ以下なら上面ブラシの昇降速度は２０Ｈｚ、ａ＜θ＜ｂなら４０Ｈｚ、ｂ＜θ＜ｃなら５０Ｈｚ、水平なら保持、というように昇降制御する（例えばａ＝２０°ｂ＝３０°ｃ＝４０°）。側面ブラシは、自動車前面及び後面を洗浄するとき、開閉速度は３０Ｈｚで開閉制御される。これにより、低速洗車に比べて洗車時間が時間ｔ１（ワックスコースの場合は、時間ｔ３）短縮される。
【００２５】
（超高速洗車）
超高速洗車では、上記高速洗車と同様の洗車速度Ｖ２で実行されるものであるが、洗車の補助機能として作用する動作を省略又は短縮することで、更なる洗車の高速化を図っている。ここでは、ピー音にて予告される走行開始のカウント報知を行わず、『洗車を開始します。洗車機から離れて下さい。』とのアナウンス後すぐに洗車機本体１を往行させる。また、シャンプーと乾燥（もしくはワックスと乾燥）の間に実行していたブラシ洗浄動作を行わず、すぐに乾燥に移行させる。これにより、低速洗車に比べて洗車時間がｔ２（ワックスコースの場合は、時間ｔ４）短縮される。
【００２６】
このように、洗車に直接関与しない洗車補助動作を制限した超高速洗車が設定されることで、繁忙時の洗車処理台数を増やすことができ、収益アップに繋がる。尚、上記実施例１では、操作パネルに洗車速度を選択するキーを備え、ユーザが任意に選択できるようにしているが、営業形態や繁忙状況に応じて、自動的に洗車速度が切り替わるようにしてもよい。例えば、年末等の繁忙期には洗車速度が超高速になり、休日等は高速になり、平日には低速になるように設定しておけばよい。
【実施例２】
【００２７】
以下、本発明の実施例２について説明する。尚、上記実施例１と同様な構成については説明を省略する。図８は実施例２の洗車機を示す平面図である。
実施例２の洗車機は、洗車機本体の前方から入車し、洗車後に洗車機本体の後方から退車するドライブスルータイプの洗車機である。洗車機本体６０は、前方にブラシによる洗浄部Ｓが形成され、後方にブロワノズルよる乾燥部Ｄが形成されている以外は上記実施例１と同様であり、各ブラシ・ブロワノズルの構造や駆動形態も実施例１と同様である。この洗車機本体６０が備えられる洗車スペースの入場口には、料金投入と洗車内容の選択入力等の操作を受け付ける操作ボックス６１と、洗車スペースへの入場を制限するゲート装置６２が設けられ、洗車スペースの退場口には、洗車後の自動車が退車したか否かを検出する退出センサ６３と、入場する自動車に対して前進−停止−後進といった案内を行う案内表示灯６４が備えられている。
【００２８】
次に、実施例２の動作について説明する。図９は実施例２の洗車動作例を示すタイムチャート図である。操作ボックス６１で希望する洗車を受け付けると、ゲート装置６２が開放するとともに、案内表示灯６４を点灯して自動車を定位置に停車させる。自動車が定位置に停車されたことを検出すると、上記実施例１と同様に、洗車機本体６０に備えたスピーカから『洗車を開始します。洗車機から離れて下さい。』といったアナウンスを行い、洗車機本体の走行を予告するカウント報知を行った後、洗車機本体１が往行する。
【００２９】
洗車コースは、洗車機本体６０の前方に洗浄部Ｓ、後方に乾燥部Ｄを備えた構成から、１往行でシャンプー洗浄と乾燥を行うシャンプー洗車と、１往復半でシャンプー−ワックス−乾燥を行うワックス洗車が実行可能となる。洗車動作は、基本的に実施例１と同じであり、先行する車形検出装置で自動車の車形認識を行い、後行するブラシを検出された自動車の形状に沿うように車体に作用させてのブラッシング洗浄、ブロワノズルを車体に接近させてのブロワ乾燥が行われる。この結果、洗車終了後は、洗車機本体６０が自動車の後方に位置することになり（図８中点線）、自動車を前進させて退出させることが可能になる。このとき、洗車スペースの退場口に設けた退出センサ６３で自動車が退場したか否か確認され、自動車の退場が検出されたら洗車機本体６０を待機位置まで戻すようにしている。
【００３０】
さて、本実施例２においても洗車速度の設定が可能であり、実施例１と同様に低速洗車・高速洗車・超高速洗車が選択できる。このうち、高速洗車は、実施例１と同様に洗車中の洗車機本体６０の走行速度を低速洗車に比べて速くする。加えて、洗車終了後に洗車機本体６０を待機位置に戻す後進速度Ｖ４を低速洗車の後進速度Ｖ３よりも速くしている。
【００３１】
超高速洗車は、低速洗車・高速洗車に比べて、次の項目を削除または減少させて、洗車速度を速めている。まず、実施例１同様に、洗車開始時に、安全性を考慮して設定される本体走行開始の予告カウント報知を行わず、『洗車を開始します。洗車機から離れて下さい。』とのアナウンス後すぐに洗車機本体６０を往行させる。また、１．５往復コースではワックスと乾燥の間に実行していたブラシ洗浄動作を行わず、すぐに乾燥に移行させる。次に、退出センサ６３で自動車が退場したことを検出するまでの時間を短縮する。すなわち、低速洗車・高速洗車では、退出センサ６３が透光から遮光に転じて自動車の退出中を判断し、遮光から透光に転じてから所定時間透光が継続したら退車を判断するようにしているが、超高速洗車では遮光から透光に転じた時点ですぐに退車と判断して洗車機本体を待機位置へ戻す。更に、洗車機本体を待機位置に戻すときの走行速度を最大走行速度Ｖ５としている。
【００３２】
このような構成により、高速洗車は低速洗車に比べて洗車時間が時間ｔ５（１．５往復の場合は時間ｔ７）短縮される。超高速洗車では、低速洗車に比べて洗車時間がｔ６（ワ１．５往復の場合は時間ｔ８）短縮される。ドライブスルー方式の洗車機では、洗車機本体の前方に洗浄部・後方に乾燥部を形成することで通常の洗車機と比べて１復行分の洗車時間を短縮したスピード洗車が可能であるが、このような超高速洗車を備えたことで、洗車スタート待機時間・ブラシ洗浄時間・退出判断時間・待機位置復帰時間が削除又は短縮された効率的な洗車が可能になる。
【産業上の利用可能性】
【００３３】
特に、洗車速度を切り替えて洗車稼働率を向上することができる洗車機に有効である。
【図面の簡単な説明】
【００３４】
【図１】実施例１の洗車機を示す正面図である。
【図２】同装置の側面図である。
【図３】上面ブラシの構成を示す説明図である。
【図４】側面ブラシの構成を示す説明図である。
【図５】上面ブロワノズルの構成を示す説明図である。
【図６】実施例１の制御系を示すブロック図である。
【図７】実施例１の洗車動作例を示すタイムチャート図である。
【図８】実施例２の洗車機を示す平面図である。
【図９】実施例２の洗車動作例を示すタイムチャート図である。
【符号の説明】
【００３５】
１    洗車機本体
７    上面ブラシ
８    側面ブラシ
９    上面ブロワノズル
１０  側面ブロワノズル
４０  制御部
４１  操作パネル
５３  低速洗車キー
５４  高速洗車キー
５５  超高速洗車キー
【図１】
0004738995.tif 000002
【図２】
0004738995.tif 000003
【図３】
0004738995.tif 000004
【図４】
0004738995.tif 000005
【図５】
0004738995.tif 000006
【図６】
0004738995.tif 000007
【図７】
0004738995.tif 000008
【図８】
0004738995.tif 000009
【図９】
0004738995.tif 000010